(57)【特許請求の範囲】
【請求項１】
動植物の少なくとも一部を制限するシート状物であって、
当該シート状物は、硫化銅を制限物質として少なくとも含有していることを特徴とするシート状物。
【請求項２】
動植物の少なくとも一部を制限するシート状物であって、
当該シート状物は、硫化銅を制限物質として少なくとも含有し、
前記制限物質は、銅、硫酸銅及び炭酸銅を除くことを特徴とするシート状物。
【請求項３】
請求項１又は２に記載のシート状物を用いた植物の根の制限システムであって、
前記シート状物は、上部側への根の隆起を抑制するシート状物を除くことを特徴とする植物の根の制限システム。
【請求項４】
請求項１又は２に記載のシート状物を用いた植物の根の制限システムであって、
前記シート状物は、上部側への根の隆起を抑制するシート状物、及び、貯水槽の内側面を覆うシート状物を除くことを特徴とする植物の根の制限システム。
【発明の詳細な説明】
【技術分野】
【０００１】
本発明は、動植物を制限するシート状物（動植物の制限シート）や、このシート状物を用いた植物の根の制限システムに関する。
【背景技術】
【０００２】
従来、苗を播種して育成する育苗箱が知られている（特許文献１）。
この方法で用いる育苗箱は、水稲の育苗箱であって、育成されるマット状苗群を田植機の植付爪が掻き取る箇所に相当する位置に沿った縦のすじ蒔溝を仕切壁により配設し、すじ蒔溝の配設について、その開口上位に種籾が置かれるように、底壁より起立する仕切壁の上端が床土の上層面ですれすれに覆い隠される程度の高さに形成している。
【先行技術文献】
【特許文献】
【０００３】
【特許文献１】特開２００４−４１１３７号公報
【発明の概要】
【発明が解決しようとする課題】
【０００４】
しかしながら、特許文献１に記載された育苗箱は、苗の育成において横への根の絡みを減少させることは出来るものの、縦への根の伸びを抑制することは出来ない（つまり、苗の根が縦に伸び過ぎる）。
このように根が縦に伸び過ぎた苗を、育苗箱から剥がす際には、排水孔から下方に飛び出して箱に絡んだ根（特に、根の成長に必要な根の先端部）を切り落とさなくてはならず、根を切ることで育てた苗を痛め、苗の発育不良を招く虞がある。
更には、切り落とす作業分だけ負担が増加し、作業効率が低下する。
【０００５】
そこで、本発明は、銀、銅、金、アルミニウム、硫化銀、硫化銅、硫化金のうち少なくとも１つである制限物質を含有することで、動植物を痛めたり、その発育を阻害することなく、その根など動植物の少なくとも一部を制限するシート状物や、植物の根の制限システムを提供することを目的とする。
【課題を解決するための手段】
【０００６】
本発明に係るシート状物１は、動植物の少なくとも一部を制限するシート状物であって、当該シート状物は、硫化銅を制限物質として少なくとも含有していることを第１の特徴とする。
【０００７】
本発明に係るシート状物１の第２の特徴は、動植物の少なくとも一部を制限するシート状物であって、当該シート状物は、硫化銅を制限物質として少なくとも含有し、前記制限物質は、銅、硫酸銅及び炭酸銅を除く点にある。
【０００８】
これらの特徴により、銀、銅、金、アルミニウム、硫化銀、硫化銅、硫化金のうち少なくとも１つである制限物質２を含有したシート状物１によって、図４〜６に示すように、当該シート状物１を越えて植物Ｐの根Ｎ等が伸びたり、ナメクジや魚類等の動物Ｂがシート状物１に近接することを抑制できる。
従って、例えば、植物Ｐの根Ｎであれば、伸び過ぎた根Ｎを、その根Ｎの先端部等を切り落とすことなく、育苗箱等の容器１２から剥がすことが可能となると共に、根Ｎを切り落とすなどの作業分の負担がなく、作業効率が向上する。
更に加えて、例えば、植物Ｐの根Ｎであれば、表１〜３、図４〜８に示すように、根Ｎを制限しているにも関わらず、シート状物１を使用していない場合と略同様の植物丈Ｔ及び葉齢Ｙとなることから、動植物ＢＰを痛めたり、発育不良を招くことはない。
尚、特許文献１の育苗箱のように、銀、銅等の制限物質２を含有せず、目が詰まった紙や不織布、ネットなどによって、ただ単に物理的に植物Ｐの根Ｎや、動物Ｂの行動を制限した場合、確かに、植物Ｐの根Ｎや、動物Ｂの行動を制限できるものの、根Ｎが十分に発達しなかったり、魚類等が壁やネットに激突するため、動植物ＢＰを痛めたり、発育不良を招く可能性がある。
【０００９】
又、制限物質２を含有した制限繊維３を備え、この制限繊維３における制限物質以外の素材をアクリル繊維、アクリル系繊維、ポリアミド繊維又はポリエステル繊維とすることによって、銀、銅等の制限物質２が、アクリル繊維やアクリル系繊維のシアノ基や、ポリアミド繊維のアミノ基、又は、ポリエステル繊維のイオン捕捉基等によって結合し易くなる。
そして、それらの制限繊維３で、不織布、織物、編物、ネットのうち少なくとも１つである制限布帛４の少なくとも一部を構成することによって、シート状物１における表面積が非常に多くなって、シート状物１が多孔質な構造となり、制限繊維３に結合した銀、銅等の制限物質２が、動植物ＢＰに作用し易くなると共に、制限布帛４によって、シート状物１自体に柔らかさ・強度を持たせつつ、軽量化等を図ることが出来る。
更に加えて、例えば、植物Ｐの根Ｎであれば、表１〜３、図４〜８に示すように、根Ｎを制限するために、シート状物１を２回使用したとしても、１回目の効果と２回目使用の効果に違いはほとんどなく、３回目以降も繰り返し使用可能であることがわかる。
これに対して、例えば、水酸化第２銅などの水不溶性銅化合物を所定のシートやトレー等に含有させた場合であれば、当該シート等を一度使用した際に、水不溶性銅化合物が浸み出し、２回目以降に使用してもその効果が落ちることから、シート状物１を使用することで、長寿命化や経済性の向上が図れる。
【００１０】
本発明に係る植物の根の制限システム１０は、上述のシート状物を用いた植物の根の制限システムであって、前記シート状物は、上部側への根の隆起を抑制するシート状物を除くことを第１の特徴とする。
【００１１】
本発明に係る植物の根の制限システム１０の第２の特徴は、上述のシート状物を用いた植物の根の制限システムであって、前記シート状物は、上部側への根の隆起を抑制するシート状物、及び、貯水槽の内側面を覆うシート状物を除く点にある。
【００１２】
これらの特徴により、上述のシート状物１を貯水槽１１の底１１ａに敷き、このシート状物１上にいた植物Ｐを植えた容器１２を載置することによって、各容器１２にシート状物１を敷く（詳解すれば、容器１２の底１２ａに、その底１２ａの形状に合わせて成形したシート状物１を、１枚１枚載置する）手間がなく、貯水槽１１の底１１ａにまとめて敷けるため、作業効率が非常に向上する。
更に加えて、シート状物１は、その上に容器１２は置かれているため、シート状物１が風で飛ぶようなことが抑制される。
尚、当然に、図４〜６に示すように、当該制限システム１０におけるシート状物１を越えて植物Ｐの根Ｎが伸びることを抑制でき、根Ｎの先端部等を切り落とすことなく、根Ｎを切り落とすなどの作業分の負担がなく、作業効率が向上する。
そして、表１〜３、図４〜８に示すように、根Ｎを制限しているにも関わらず、シート状物１を使用していない場合と略同様の植物丈Ｔ及び葉齢Ｙとなることから、植物Ｐの根Ｎを痛めたり、発育不良を招くことはない。
【００１３】
又、上述のシート状物１を植物Ｐに２回使用した場合でも、１回目使用における植物丈Ｔと２回目使用における植物丈Ｔの差や葉齢Ｙの差を所定値以内に収めることで、植物の根の制限システム１０において、３回目以降も繰り返し使用してもその効果が落ちることが抑制され、長寿命化や経済性の向上が図れる。
【発明の効果】
【００１４】
本発明に係るシート状物によると、銀、銅、金、アルミニウム、硫化銀、硫化銅、硫化金のうち少なくとも１つである制限物質を含有することで、苗等をはじめとする動植物を痛めたり、発育を阻害することなく、その根等の制限が実現できる。
又、本発明に係る植物の根の制限システムによると、上述のシート状物を貯水槽の底に敷き、このシート状物の上に植物を植えた容器を載置すること等で、植物の根を痛めることなく、その根を制限できる。
【図面の簡単な説明】
【００１５】
【図１】は、本発明に係るシート状物を示す概要斜視図である。
【図２】は、本発明に係るシート状物を使用し、且つ、容器に植えられた植物の制限システム（容器制限システム）を示す概要断面図である。
【図３】は、本発明に係るシート状物を使用し、且つ、容器に植えられていない植物の制限システム（非容器制限システム）を示す概要断面図である。
【図４】は、試験２において、播種後７日目における実施例３−１、実施例３−２と、比較例２の根の伸長程度を示す図面代用写真である。
【図５】は、試験２において、播種後１４日目における実施例３−１、実施例３−２と、比較例２の根の伸長程度を示す図面代用写真である。
【図６】は、試験２において、播種後２１日目における実施例３−１、実施例３−２と、比較例２の根の伸長程度を示す図面代用写真である。
【図７】は、試験２において、播種後２１日目における実施例３−１、実施例３−２と、比較例２の根以外の部分（地上部）の様子を示す図面代用写真である。
【図８】は、試験２において、播種後２１日目における実施例３−１、実施例３−２と、比較例２の植物丈（草丈）及び葉齢と、その差を示すグラフである。
【発明を実施するための形態】
【００１６】
＜シート状物１の全体構成＞
以下、本発明の実施形態を、図面を参照して説明する。
図１には、本発明に係るシート状物１が示されている。
【００１７】
シート状物１は、後述する銀、銅等である制限物質２を含有したシート状のものである。
シート状物１は、制限物質２を含有したシート状のものであれば、何れの構成であっても良いが、例えば、制限部材２を含有していない非制限部材２’（例えば、繊維強化プラスチック様のもの）も同時に有していても良い。
【００１８】
尚、このとき、制限物質２自体がシート状物１における制限部２であるとも言え、又、シート状物１において、制限物質２を含有する部分を制限部２としても良い。
シート状物１は、制限物質２が繊維状のもの（後述する制限繊維３）のみに含有されていたり、制限物質２が繊維状ではなくフィルム状や板状、テープ状等の制限非繊維部材３’のみに含有されていたり、制限繊維３と制限非繊維部材３’の両方に含有されていても良い。
【００１９】
制限繊維３における制限物質２以外の素材は、特に限定はないが、例えば、合成樹脂などの有機材料であっても良く、繊維状になるのであれば、ガラスやセラミックスなどの無機材料、鉄鋼などの金属、そして、これらの複合材料であっても良い。
又、制限非繊維部材３’における制限物質２以外の素材も、特に限定はないが、合成樹脂などの有機材料や、ガラスやセラミックスなどの無機材料、鉄鋼などの金属、そして、これらの複合材料であっても良い。
【００２０】
一方、シート状物１における非制限部材２’は、制限物質２を含有していないのであれば何れの構成でも良いが、例えば、制限物質２を含有していない繊維状の非制限繊維５や、制限物質２を含有していない且つ繊維状のものではない非制限非繊維部材５’（例えば、フィルム状や板状、テープ状等のもの）であっても良い。
非制限繊維５や非制限非繊維部材５’の素材も、特に限定はないが、合成樹脂などの有機材料であっても良く、繊維状になるのであれば、ガラスやセラミックスなどの無機材料、鉄鋼などの金属、そして、これらの複合材料であっても良い。
【００２１】
従って、シート状物１は、制限繊維３と非制限繊維５を含む場合（パターン＜１＞）、制限繊維３と非制限非繊維部材５’を含む場合（パターン＜２＞）、制限非繊維部材３’と非制限繊維５を含む場合（パターン＜３＞）、制限非繊維部材３’と非制限非繊維部材５’を含む場合（パターン＜４＞）、そして、制限繊維３と制限非繊維部材３’を含む場合（パターン＜５＞）の５つがある。
以下、主に、シート状物１が制限物質２を含有した制限繊維３を少なくとも備えている場合（パターン＜１＞、＜２＞、＜５＞）について詳解する。
【００２２】
＜制限物質２＞
図１に示したように、制限物質２は、上述したように、当該シート状物１（詳しくは、制限繊維３及び／又は制限非繊維部材３’）に含有されている。
制限物質２は、銀（Ａｇ）、銅（Ｃｕ）、金（Ａｕ）、硫化銀（Ａｇ2 Ｓ、ＡｇＳ、Ａｇ2 Ｓ3 ）、硫化銅（Ｃｕ2 Ｓ、ＣｕＳ）、硫化金（Ａｕ2 Ｓ、Ａｕ2 Ｓ3 ）のうち少なくとも１つである。
【００２３】
つまり、制限物質２は、銀、銅、金、アルミニウム、硫化銀、硫化銅、硫化金のうち何れか１つである場合以外に、銀、銅、金、アルミニウム、硫化銀、硫化銅、硫化金のうち何れか２つであっても良い。
以下同様に、制限物質２は、銀、銅、金、アルミニウム、硫化銀、硫化銅、硫化金のうち何れか３つ、４つ、５つ、６つ、又は、７つ全てであっても構わない。
【００２４】
制限物質２のうち、銀、銅、金、アルミニウムの電気抵抗率（抵抗率）は、小さい順に銀、銅、金、アルミニウムとなる。
銀、銅、金、アルミニウムの具体的な電気抵抗率の値は、温度によって変化するが、例えば、２０℃であれば、銀は１．６２×１０-8（Ω・ｍ）、銅は１．７２×１０-8（Ω・ｍ）、金は２．４０×１０-8（Ω・ｍ）、アルミニウムは２．７５×１０-8（Ω・ｍ）であるとも言える。
【００２５】
上述した制限物質２のうち、銀、銅、金、アルミニウムは、溶液中においてイオン化した場合、正イオン（Ａｇ+ 、Ａｇ2+又はＡｇ3+、Ｃｕ+ 又はＣｕ2+、Ａｕ+ 又はＡｕ3+、Ａｌ3+等）となる。
又、上述した制限物質２のうち、硫化銀、硫化銅、硫化金は、溶液中において、銀原子、銅原子、金原子は、上述したように、イオン化して正イオンとなる一方で、硫黄原子（Ｓ）は、イオン化して陰イオン（Ｓ2-等）となる。
【００２６】
＜制限繊維３等＞
図１に示したように、制限繊維３は、上述の制限物質２を含有した繊維である。
つまり、制限繊維３は、上述したように、制限物質２とそれ以外の素材からなる。
【００２７】
制限繊維３における制限物質２以外の素材は、制限物質２を含有できるのであれば、特に限定はないが、例えば、ポリアクリロニトリル（ＰＡＮ）が主成分（例えば、質量％で８５％以上である）アクリル繊維や、ポリアクリロニトリル（ＰＡＮ）が質量％で３５％以上８５％未満であるアクリル系繊維、ポリアミド（ナイロン）繊維、ポリエチレンテレフタレート（ＰＥＴ）や、ポリトリメチレンテレフタレート（ＰＴＴ）、ポリブチレンテレフタレート（ＰＢＴ）等のポリエステル繊維であっても良い。
この他、制限繊維３における制限物質２以外の素材は、ポリエチレン（ＰＥ）、ポリプロピレン（ＰＰ）等のポリオレフィン系繊維、レーヨン繊維、キュプラ繊維、アセテート繊維、ポリビニルアルコール（ＰＶＡ）繊維（ビニロン繊維）、ポリウレタン（ＰＵ）繊維などの合成繊維、そして、羊毛、絹などの天然繊維等の有機材料の他、繊維状になるのであれば、ガラスやセラミックスなどの無機材料、鉄鋼などの金属、そして、これらを組み合わせた複合材料でも良い。
【００２８】
一方、非制限繊維５の素材も、上述したように、特に限定はないが、合成樹脂が好ましく、例えば、制限繊維３と同様に、アクリル繊維やアクリル系繊維、ポリアミド繊維、ポリエステル繊維、ポリオレフィン系繊維、レーヨン繊維、キュプラ繊維、アセテート繊維、ポリビニルアルコール繊維、ポリウレタン繊維などの合成繊維、そして、羊毛、絹などの天然繊維等の有機材料の他、繊維状になるのであれば、ガラスなどの無機材料、鉄鋼などの金属、そして、これらを組み合わせた複合材料でも良い。
【００２９】
＜本発明における「含有」＞
ここまで述べたように、シート状物１において、制限繊維３及び／又は制限非繊維部材３’に制限物質２が含有されているが、この「含有」について、以下に詳解する。
本発明における「含有」とは、制限物質２が、制限繊維３及び／又は制限非繊維部材３’において、その表面及び／又は内部に存在していることを意味する。
【００３０】
この「含有」をさせる方法は、制限物質２が、制限繊維３及び／又は制限非繊維部材３’の表面及び／又は内部に存在した状態となれば、何れの方法であっても良いが、例えば、制限繊維３及び／又は制限非繊維部材３’が合成樹脂等の有機材料であれば、その有機材料に制限物質２を練り込んだり（練り込み）しても良く、この場合、制限繊維３及び／又は制限非繊維部材３’の内部に存在した状態で「含有」されている。
この他、制限繊維３及び／又は制限非繊維部材３’の表面に、制限物質２の鍍金（メッキ）を施しても良く、浸漬や塗布、スプレ―塗布等によって、制限繊維３及び／又は制限非繊維部材３’の表面における凹凸に制限物質２を沈着（付着・付与）させても良く、この場合、制限繊維３及び／又は制限非繊維部材３’の表面に存在した状態で「含有」されていると言える。
【００３１】
ここで、制限物質２が含有されているものが繊維状である（つまり、制限繊維３）であれば、上述した練り込み、メッキ、浸漬、塗布、スプレ―塗布等の方法は、制限繊維３における制限物質２以外の素材が、合成繊維や天然繊維等の有機材料の他、繊維状になるのであれば、無機材料、金属、複合材料などの何れであっても、制限物質２を含有させることが出来る。
【００３２】
＜制限繊維３（アクリル繊維やアクリル系繊維）における「含有」＞
このとき、制限繊維３における制限物質２以外の素材がアクリル繊維やアクリル系繊維である場合に、制限物質２のうち銀、銅、金、アルミニウムを含有させるには、１価の正イオンを含む溶液、又は、２価の正イオンと還元剤を含む溶液を、アクリル繊維やアクリル系繊維に接触させて行っても良い（この接触により、アクリル繊維やアクリル系繊維における電子吸引性基であるシアノ基（−ＣＮ）に対して、溶液中においてイオン化した銀、銅、金、アルミニウムの正イオン（特に１価の正イオンＡｇ+ 、Ｃｕ+ 等）が共有結合（配位結合）することで、制限繊維３の表面に強固に付着（吸着）するとも言える）。
【００３３】
このとき、溶液中に、１価の正イオンを与える化合物としては、特に限定はないが、例えば、塩化第１銀、臭化第１銀、硫酸第１銀、硝酸第２銀、酢酸第１銀等の第１銀塩や、塩化第１銅、臭化第１銅、硫酸第１銅等の第１銅塩、塩化第１金等の第１金塩などでも良い。
又、当該溶液中に、２価の正イオンを与える化合物としては、特に限定はないが、例えば、塩化第２銅、臭化第２銅、硫酸第２銅、硝酸第２銅、酢酸第２銅等の第２銅塩や、塩化第２金（八塩化四金）等の第２金塩などでも良い。
【００３４】
更に、当該溶液中で、２価の正イオンと組合せて用いられる還元剤としては、２価の正イオンを１価の正イオンに変換し得るものであれば、特に限定はないが、例えば、金属銀、金属銅、金属金、金属アルミニウム、硫酸第１鉄、次亜リン酸ナトリウム、硫酸ヒドロキシルアミン、塩酸ヒドロキシルアミンなどでも良い。
この場合も、制限物質２のうち銀、銅、金、アルミニウムが、制限繊維３の表面に存在した状態で「含有」されていると言える。
【００３５】
同様に、制限繊維３における制限物質２以外の素材がアクリル繊維やアクリル系繊維である場合に、制限物質２のうち硫化銀、硫化銅、硫化金を含有させるには、上述したように、１価の正イオンを含む溶液、又は、２価の正イオンと還元剤を含む溶液を、アクリル繊維やアクリル系繊維に接触させた（第１工程）後に、これら結合した正イオンを硫化する（第２工程）ことで、硫化銀、硫化銅、硫化金を、制限繊維３（アクリル繊維やアクリル系繊維）の表面に付着（吸着）させても良い。
このとき、第１工程の溶液中に、１価の正イオンを与える化合物としては、上述したように、特に限定はないが、例えば、第１銀塩や、第１銅塩、第１金塩などでも良く、２価の正イオンを与える化合物としても、上述したように、特に限定はないが、例えば、第２銅塩や、第２金塩などでも良い。
【００３６】
第１工程における還元剤としては、上述したように、特に限定はないが、例えば、金属銀、金属銅、金属金、金属アルミニウム、硫酸第１鉄、次亜リン酸ナトリウム、硫酸ヒドロキシルアミン、塩酸ヒドロキシルアミンなどでも良い。
又、第２工程における硫化剤としては、上述したように、特に限定はないが、例えば、硫化ナトリウム、亜ニチオン酸、亜ニチオン酸ナトリウム、チオ硫酸ナトリウム、チオ硫酸カリウム、ロンガリットＣ、ロンガリットＺなどでも良い。
【００３７】
更には、上述した第１、２工程に分けることなく、アクリル繊維やアクリル系繊維の表面に硫化銀、硫化銅、硫化金を１つの工程（１段処理）で付着（吸着）させても良い。
この１段処理では、１価の正イオンと硫化剤を含む溶液や、２価の正イオンと硫化剤を含む溶液、又は、２価の正イオンと還元剤と硫化剤を含む溶液を、アクリル繊維やアクリル系繊維に接触させて行っても構わない。
【００３８】
このとき、１価の正イオンを与える化合物や、２価の正イオンを与える化合物、還元剤、硫化剤としては、上述した第１、２工程で用いたものと同様である。
この場合も、制限物質２のうち硫化銀、硫化銅、硫化金が、制限繊維３の表面に存在した状態で「含有」されていると言える。
【００３９】
＜制限繊維３（ポリアミド繊維）における「含有」＞
この他、制限繊維３における制限物質２以外の素材がポリアミド繊維である場合にも、上述したアクリル繊維やアクリル系繊維である場合と同様で、制限物質２のうち銀、銅、金、アルミニウムを含有させるには、１価の正イオンを含む溶液、又は、２価の正イオンと還元剤を含む溶液を、ポリアミド繊維に接触させて行っても良い（この接触により、ポリアミド繊維における電子供与基であるアミノ基（−ＮＨ2 ）に対して、溶液中においてイオン化した銀、銅、金、アルミニウムの正イオンが結合することで、制限繊維３の表面に強固に付着（吸着）するとも言える）。
又、制限繊維３における制限物質２以外の素材がポリアミド繊維である場合においても、制限物質２のうち硫化銀、硫化銅、硫化金を含有させるには、上述した第１工程と第２工程や、上述した１段処理によって、硫化銀、硫化銅、硫化金を、制限繊維３（ポリアミド繊維）の表面に付着（吸着）させても良い。
【００４０】
尚、制限繊維３における制限物質２以外の素材がポリアミド繊維である場合も、１価の正イオンを与える化合物や、２価の正イオンを与える化合物、還元剤、硫化剤としては、上述したアクリル繊維やアクリル系繊維である場合で用いたものと同様である。
この場合も、制限物質２の銀、銅、金、アルミニウム、硫化銀、硫化銅、硫化金が、制限繊維３の表面に存在した状態で「含有」されていると言える。
【００４１】
＜制限繊維３（ポリエステル繊維）における「含有」＞
一方、制限繊維３における制限物質２以外の素材がポリエステル繊維である場合には、まずポリエステル繊維をアルカリ水溶液との接触下において加熱処理しても良い。
このとき用いるアルカリ水溶液としては、特に限定はないが、例えば、水酸化ナトリウム、水酸化カリウム、水酸化リチウム等の水酸化アルカリや、炭酸ナトリウム、ケイ酸ナトリウム等のアルカリ金属塩を含むものでも良い。
【００４２】
次に、アルカリ水溶液との接触下において加熱処理されたポリエステル繊維に、正イオン捕捉基を有する表面処理剤を付着結合させても良い。
このとき、正イオン捕捉基は、特に限定はないが、例えば、シアノ基（−ＣＮ）やアミノ基（−ＮＨ2 ）、メルカプト基（−ＳＨ）、チオカルボニル基（＞ＣＳ）、イソシアネート基（−ＮＣＯ）、第４級有機アンモニウム基（−ＮＲ4 ・Ｘ（ここで、Ｒはアルキル、アリールアラルキル等の炭化水素基であり、Ｘは塩素イオン、硫酸イオン等の陰イオンである。））などであっても良い。
【００４３】
又、表面処理剤は、上述した正イオン捕捉基を有し、ポリエステル繊維の表面に対して付着結合性を有するものであれば、特に限定はないが、例えば、シランカップリング剤や、チタン系カップリング剤、アルミニウム系カップリング剤がなどでも良い。
このように正イオン捕捉基を付着結合されたポリエステル繊維に対しては、上述したアクリル繊維やアクリル系繊維、ポリアミド繊維である場合と同様で、制限物質２のうち銀、銅、金、アルミニウムを含有させるには、１価の正イオンを含む溶液、又は、２価の正イオンと還元剤を含む溶液を、当該ポリエステル繊維に接触させて行っても良い。
【００４４】
又、制限繊維３における制限物質２以外の素材が正イオン捕捉基を付着結合されたポリエステル繊維である場合においても、制限物質２のうち硫化銀、硫化銅、硫化金を含有させるには、上述した第１工程と第２工程や、上述した１段処理によって、硫化銀、硫化銅、硫化金を、制限繊維３（当該ポリエステル繊維）の表面に付着（吸着）させても良く、１価の正イオンを与える化合物や、２価の正イオンを与える化合物、還元剤、硫化剤としては、上述したアクリル繊維やアクリル系繊維、ポリアミド繊維である場合で用いたものと同様である。
この場合も、制限物質２の銀、銅、金、アルミニウム、硫化銀、硫化銅、硫化金が、制限繊維３の表面に存在した状態で「含有」されていると言える。
【００４５】
上述したように、制限繊維３における制限物質以外の素材をアクリル繊維、アクリル系繊維、ポリアミド繊維又はポリエステル繊維とすることによって、銀、銅等の制限物質２が、アクリル繊維やアクリル系繊維のシアノ基や、ポリアミド繊維のアミノ基、又は、ポリエステル繊維のイオン捕捉基等によって結合し易くなる。
ここまで述べた制限繊維３は、後述する不織布等である制限布帛４の少なくとも一部を構成したものであっても良く、その他、制限繊維３は、布帛状以外のもの（例えば、押し固めて板状等にしたものであって、制限繊維３が少なくとも一部を構成しているもの）である制限非布帛部材４’を構成しても良い。
【００４６】
従って、シート状物１は、上述したパターン＜１＞、＜２＞、＜５＞において、制限繊維３が制限布帛４の少なくとも一部のみを構成する場合（パターン＜１−Ａ＞、＜２−Ａ＞、＜５−Ａ＞）、制限繊維３が制限非布帛部材４’の少なくとも一部のみを構成する場合（パターン＜１−Ｂ＞、＜２−Ｂ＞、＜５−Ｂ＞）、制限繊維３が制限布帛４と制限非布帛部材４’両方の少なくとも一部のみを構成する場合（パターン＜１−Ｃ＞、＜２−Ｃ＞、＜５−Ｃ＞）がある。
以下、主に、制限繊維３が制限布帛４の少なくとも一部のみを構成する場合（パターン＜１−Ａ＞、＜２−Ａ＞、＜５−Ａ＞）について、更に詳解する。
【００４７】
＜制限布帛４＞
図１に示したように、制限布帛４は、上述したように、その少なくとも一部が制限繊維３によって構成されている。
つまり、制限布帛４は、制限繊維３が少なくとも一部を構成していれば良く、制限布帛４の全部が制限繊維３から構成されていたり、制限布帛４が制限繊維３と非制限繊維５から構成されていても良い。
【００４８】
制限布帛４は、不織布、織物、編物、ネットのうち少なくとも１つである。
つまり、制限布帛４は、不織布、織物、編物、ネットのうち何れか１つである場合以外に、不織布、織物、編物、ネットのうち何れか２つであっても良い。
【００４９】
以下同様に、制限布帛４は、不織布、織物、編物、ネットのうち何れか３つ、又は、４つ全てであっても構わない。
制限布帛４が不織布の場合、何れの方法で構成されて構わないが、例えば、往復するニードルに繊維を引っ掛けて繊維相互間を交絡したニードルパンチ不織布であっても良く、その他、熱融着性繊維を含有し加熱により成形されたサーマルボンド不織布、吹き付け加工により成形されたケミカルボンド不織布、ノズルから紡糸された長繊維（フィラメント）を動くスクリーン上に積層して結合させたスパンボンド不織布、ステッチボンド不織布等をニードルパンチ法などによって結合させたものであっても良い。
【００５０】
制限布帛４が織物の場合、何れの織組織でも構わないが、例えば、平織や綾織、朱子織、二重織、二重織以上の多重織などであっても良い。
制限布帛４が編物の場合、何れの編組織でも構わないが、例えば、デンビー編（トリコット編）や、ラッシェル編、ダブルラッシェル編、バンダイク編（アトラス編）、コード編などの経編や、平編（天竺編）、ゴム編（リブ編）、パール編などの緯編などであっても良い。
【００５１】
制限布帛４がネット（網）である場合、ネットとは、それを編成する制限繊維３や非制限繊維５を方形・ひし形に目を透かして編んだものであって、魚等の魚介類を捉えるもの（漁網など）であったり、鳥を捉えるものであったり、道具や囲い、建具などに用いるものであり、何れの編組織でも構わない。
制限布帛４が織物や編物、ネットである場合、それらを構成（織成、編成等）する制限繊維３や非制限繊維５の繊度も、何れの値でも良いが、例えば、総繊度で、１ｄｔｅｘ以上３０００ｄｔｅｘ以下であっても良い。
【００５２】
このように、制限繊維３で、不織布等である制限布帛４の少なくとも一部を構成することによって、シート状物１における表面積が非常に多くなって、シート状物１が多孔質な構造となり、制限繊維３に結合した銀、銅等の制限物質２が、動植物ＢＰに作用し易くなると共に、制限布帛４によって、シート状物１自体に柔らかさ・強度を持たせつつ、軽量化等を図ることが出来る。
更に加えて、例えば、植物Ｐの根Ｎであれば、表１〜３、図４〜８に示すように、根Ｎを制限するために、シート状物１を２回使用したとしても、１回目の効果と２回目使用の効果に違いはほとんどなく、３回目以降も繰り返し使用可能であることがわかる。
これに対して、例えば、水酸化第２銅などの水不溶性銅化合物を所定のシートやトレー等に含有させた場合であれば、当該シート等を一度使用した際に、水不溶性銅化合物が浸み出し、２回目以降に使用してもその効果が落ちることから、シート状物１を使用することで、長寿命化や経済性の向上が図れる。
【００５３】
尚、シート状物１における制限物質２の含有量は、特に限定はないが、例えば、制限物質２を含有したシート状物１に対して、制限物質２が、５．０質量％以上３０．０質量％以下、好ましくは６．０質量％以上２５．０質量％以下、更に好ましくは７．０質量％以上２０．０質量％以下であっても良い。
又、シート状物１は、一旦、所定の溶液に浸漬されても、制限物質２が脱落し難いと言え、浸漬前に含有していた制限物質２の質量と、浸漬後に含有する制限物質２の質量の差は、特に制限はないが、例えば、０．０１ｇ以上２０．００ｇ以下、好ましくは０．０５ｇ以上１５．００ｇ以下、更に好ましくは０．１０ｇ以上１０．００ｇ以下であっても良い。
【００５４】
ここまで述べてきたシート状物１によって、図４〜６に示すように、当該シート状物１を越えて植物Ｐの根Ｎ等が伸びたり、ナメクジ、カタツムリ等の軟体動物や、魚介類等の動物Ｂがシート状物１に近接することを抑制できる。
従って、例えば、植物Ｐの根Ｎであれば、伸び過ぎた根Ｎを、その根Ｎの先端部等を切り落とすことなく、育苗箱等の容器１２から剥がすことが可能となると共に、根Ｎを切り落とすなどの作業分の負担がなく、作業効率が向上する。
更に加えて、例えば、植物Ｐの根Ｎであれば、後述の表１〜３、図４〜８に示すように、根Ｎを制限しているにも関わらず、シート状物１を使用していない場合と略同様の植物丈Ｔ及び葉齢Ｙとなることから、動植物ＢＰを痛めたり、発育不良を招くことはない。
尚、特許文献１の育苗箱のように、銀、銅等の制限物質２を含有せず、目が詰まった紙や不織布、ネット（例えば、クラパピー（登録商標））などによって、ただ単に物理的に植物Ｐの根Ｎや、動物Ｂの行動を制限した場合、確かに、植物Ｐの根Ｎや、動物Ｂの行動を制限できるものの、根Ｎが十分に発達しなかったり、魚類等が壁やネットに激突するため、動植物ＢＰを痛めたり、発育不良を招く可能性がある。
【００５５】
＜植物の根の制限システム１０＞
図２、３に示したように、制限システム１０は、植物Ｐの根Ｎを制限するものである。
制限システム１０で制限する「植物Ｐ」とは、動物Ｂでなく且つ根Ｎを持つもの（種子植物（被子植物（単子葉植物、双子葉植物（合弁花類、離弁花類））、裸子植物）、シダ植物など）であれば、何れでも良いが、より具体的には、例えば、苗を育てる育苗箱などの容器（植物容器）１２に植えられた植物や、その他、既に田畑や山野等に生えている植物など分けても良い。
【００５６】
「植物Ｐ」のうち、容器１２に植えられた植物は、特に限定はないが、例えば、穀物や花など（詳解すれば、イネ（水稲（米）など）やムギ（小麦、大麦など）、トウモロコシ、ススキ、タケ等のイネ科植物や、ユリ、チューリップ、タマネギ、ネギ等のユリ科植物、アヤメ、カキツバタ、ハナショウブ、サフラン、グラジオラス、フリージア等のアヤメ科植物などをはじめとする単子葉植物（裸子植物））や、これらの苗であっても良い。
その他、容器１２に植えられた植物としては、例えば、果樹や野菜（詳解すれば、モモやイチゴ、リンゴ、ナシ、ウメ、ビワ、サクラ、バラ等のバラ科植物、ブドウ、ノブドウ、ヤブガラシ等のブドウ科植物、キャベツ、ダイコン、ナズナ、カブ、ワサビ、クレソン、カラシ等のアブラナ科植物、エンドウ、ダイズ、ソラマメ、フジ、レンゲソウ、シロツメクサ、クズ、オジギソウ、ネムノ等のマメ科植物などをはじめとする双子葉植物の離弁花類（裸子植物））であったり、例えば、花や草木、その他の野菜（詳解すれば、キク、ヒマワリ、タンポポ、コスモス、ダリア、ヒメジョオン、アザミ等のキク科植物、ヒルガオ、アサガオ、サツマイモ等のヒルガオ科植物、ツツジ、シャクナゲ、アセビ等のツツジ科植物、ナス、トマト、ピーマン、ジャガイモ、タバコ、トウガラシ等のナス科植物、カボチャ、ヘチマ、キュウリ、スイカ、ヒョウタン、ユウガオ等のウリ科植物などをはじめとする双子葉植物の合弁花類（裸子植物））、ソテツ、マツ、イチョウ等の裸子植物、ワラビ、ゼンマイ、クサソテツ、ヘゴ、オオタニワタリ、イワヒバ、マツバラン等のシダ植物や、これらの苗などであっても良い。
【００５７】
一方、「植物Ｐ」のうち、既に生えている植物は、育てた苗を田畑等に植えた後のものや、土等に直接種を播いて成長したもの、自然に生えているものなどであれば、特に限定はないが、例えば、穀物や果樹、野菜、花、草木（詳解すれば、イネ等のイネ科植物や、ユリ等のユリ科植物、アヤメ等のアヤメ科植物などの単子葉植物（裸子植物）、バラ等のバラ科植物、ブドウ等のブドウ科植物、キャベツ等のアブラナ科植物、エンドウ等のマメ科植物などの双子葉植物の離弁花類（裸子植物）、キク等のキク科植物、ヒルガオ等のヒルガオ科植物、ツツジ等のツツジ科植物、ナス等のナス科植物、カボチャ等のウリ科植物などの双子葉植物の合弁花類（裸子植物）、ソテツ等の裸子植物、ワラビ等のシダ植物など）であっても良い。
又、「植物Ｐ」のうち、既に生えている植物は、山野等に自然に生えているものであっても良い。
【００５８】
制限システム１０は、植物Ｐの根Ｎを制限するのであれば、何れの構成であっても良いが、例えば、根Ｎを制限したい「植物Ｐ」が容器１２に植えられた植物である場合の制限システム１０（容器制限システム１０’（図２参照））であったり、根Ｎを制限したい「植物Ｐ」を容器１２に植えていない場合（苗を田畑等に植えた後の場合や、土等に直接種を播いて成長させた場合、自然に生えている場合）の制限システム１０（非容器制限システム１０”（図３参照））であっても良い。
以下は、まず、「植物Ｐ」が容器１２に植えられたものである場合の容器制限システム１０’について述べる。
【００５９】
容器制限システム１０’は、容器１２に植えられた「植物Ｐ」の根Ｎを制限できるのであれば、特に制限はないが、例えば、容器制限システム１０’は、後述する貯水槽１１を有し、この貯水槽１１の底１１ａに所定の大きさのシート状物１を敷き、敷いたシート状物１の上に、容器１２を載せる構成であっても良い。
以下、主に、貯水槽１１の底１１ａに敷いたシート状物１の上に、容器１２を載せる構成について詳解する。
【００６０】
＜貯水槽１１＞
図２に示すように、貯水槽１１は、容器制限システム１０’の一部であり、その底（槽内底）１１ａに、上述したシート状物１を敷くものである。
貯水槽１１は、槽内底１１ａにシート状物１を敷け、且つ、更にその上に容器１２を載置できるのであれば、何れの構成であっても良いが、例えば、地面等に窪みを作り水等の液体を貯めるプール様のものであったり、水等の液体を貯蔵できる水槽様のものであっても良い。
【００６１】
貯水槽１１は、その平面視形状について、特に限定はないが、例えば、略矩形状、略台形状、角が取れた略矩形状・略台形状、略円形状、略楕円形状、略三角形状、略五角形状等の略多角形状などであっても良い。
貯水槽１１の側面視形状も、特に限定はなく、例えば、略矩形状、略台形状、底１１ａ側の角が取れた略矩形状・略台形状、略円形状、略楕円形状、略三角形状などであっても良い。
【００６２】
貯水槽１１の平面視の面積についても、特に限定はなく、育苗箱等の容器１２（例えば、容器（育苗箱等）１２が平面視で略矩形状である場合には、約６０ｃｍ×約３０ｃｍ＝約０．１８ｍ2 など）が少なくとも１つは入る面積であれば良いが、例えば、１ｍ2 以上１００００００ｍ2 以下（１反（＝約９９１．７３６ｍ2 ）や、１ｈａ（＝１００００ｍ2 ）など）であっても良い。
又、貯水槽１１の深さについても、特に限定はなく、育苗箱等の容器１２（例えば、容器（育苗箱等）１２の深さは約３ｃｍなど）が少なくとも１つは入る深さであれば良いが、例えば、５ｃｍ以上５０ｃｍ以下、好ましくは７ｃｍ以上４０ｃｍ以下、更に好ましくは１０ｃｍ以上３０ｃｍ以下であっても良い。
【００６３】
貯水槽１１の内部において、水等の液体の有無は問わないが、育苗箱等の容器１２の深さ（例えば、３ｃｍなど）を越えない量の液体が入っていても良く、例えば、その槽底部１１ａから０．１ｃｍ以上３．０ｃｍ以下、好ましくは０．５ｃｍ以上２．５ｃｍ以下、更に好ましくは１．０ｃｍ以上２．０ｃｍ以下であっても良い。
貯水槽１１の内部には、液体以外に土や、窒素、リン、カリウムなどの栄養素その他の物質が入っていても良く、貯水槽１１の槽内底１１ａは、溝や隆起等があっても良いが、略面一（略フラット）であっても良い。
【００６４】
＜容器（植物容器）１２＞
図２に示したように、容器１２は、苗などの根Ｎを制限したい「植物Ｐ」が植えられ器である。
容器１２は、その内部に植物Ｐが植えられるのであれば、何れの構成であっても良いが、例えば、苗を育てる育苗箱や育苗トレー、育苗ポットであったり、その他、苗以外も植える植木鉢などであっても良い。
【００６５】
容器１２も、その平面視形状について、特に限定はないが、例えば、略矩形状、略台形状、角が取れた略矩形状・略台形状、略円形状、略楕円形状、略三角形状、略五角形状等の略多角形状などであっても良い。
容器１２の側面視形状も、特に限定はなく、例えば、略矩形状、略台形状、その底（器内底）１２ａ側の角が取れた略矩形状・略台形状、略円形状、略楕円形状、略三角形状などであっても良い。
【００６６】
容器１２の平面視の面積についても、特に限定はなく、例えば、容器（育苗箱等）１２が平面視で略矩形状である場合には、０．０１ｍ2 以上１０．００ｍ2 以下、好ましくは０．０５ｍ2 以上５．００ｍ2 以下、更に好ましくは０．１０ｍ2 以上３．００ｍ2 以下（約０．１８ｍ2 など）であっても良い。
又、容器１２の深さについても、特に限定はなく、例えば、０．５ｃｍ以上１００．０ｃｍ以下、好ましくは１．０ｃｍ以上５０．０ｃｍ以下、更に好ましくは１．５ｃｍ以上３０．０ｃｍ以下（約３ｃｍなど）であっても良い。
【００６７】
容器１２の内部においては、植物Ｐを植えるための土（床土）や、窒素、リン、カリウムなどの栄養素や珪素などの物質が入っていても良く、その他、不織布状のもの（例えば、ロックウール（岩綿）など）を敷いても良い。
容器１２の底（器内底）１２ａは、略面一（略フラット）としても良く、又、器外底１２ｂを略面一（略フラット）としても良い。
【００６８】
ここまで述べた植物の根の制限システム１０（容器制限システム１０’）によって、各容器１２にシート状物１を敷く（詳解すれば、容器１２の底１２ａに、その底１２ａの形状に合わせて成形したシート状物１を、１枚１枚載置する）手間がなく、貯水槽１１の底１１ａにまとめて敷けるため、作業効率が非常に向上する。
更に加えて、シート状物１は、その上に容器１２は置かれているため、シート状物１が風で飛ぶようなことが抑制される。
尚、図４〜６に示すように、当然に、当該制限システム１０（容器制限システム１０’）におけるシート状物１を越えて植物Ｐの根Ｎが伸びることを抑制でき、根Ｎの先端部等を切り落とすことなく、根Ｎを切り落とすなどの作業分の負担がなく、作業効率が向上する。
そして、表１〜３、図４〜８に示すように、根Ｎを制限しているにも関わらず、シート状物１を使用していない場合と略同様の植物丈Ｔ及び葉齢Ｙとなることから、植物Ｐの根Ｎを痛めたり、発育不良を招くことはない。
又、容器制限システム１０’で根Ｎを制限する植物Ｐが、育苗箱１２に植えられたイネの苗である場合には、このイネの苗を田植機で田植えする際には、イネの株の抜けが抑制される。
【００６９】
一方、植物の根の制限システム１０のうち、根Ｎを制限したい「植物Ｐ」を容器１２に植えていない場合の非容器制限システム１０”は、苗を田畑等に植えたり、土等に直接種を播いたり、自然に生えている植物（例えば、草木など）における土中等の根Ｎを、上述したシート状物１で囲ったり、下方から根Ｎ全体を覆う等する構成であっても良い。
この非容器制限システム１０”においても、上述の容器制限システム１０’と同様で、シート状物１を越えて植物Ｐの根Ｎが伸びることを抑制でき、根Ｎの先端部等を切り落とすことなく、根Ｎを切り落とすなどの作業分の負担がなく、作業効率が向上する。
そして、根Ｎを制限しているにも関わらず、シート状物１を使用していない場合と略同様の成長具合となり、植物Ｐの根Ｎを痛めたり、発育不良を招くことはない。
【００７０】
その他、非容器制限システム１０”は、上述したように植物Ｐの根Ｎを制限（根Ｎが伸びるのを制限、又は、根域を制限）することで、過剰に水分を吸収することが抑えられ、果樹の実（果物）などが甘くさせるとも言える。
又、地上からは通常は、根Ｎが見えないが、非容器制限システム１０”によって、どこまで延びたか把握できるとも言える。
【００７１】
＜試験１＞
ここからは、まず本発明に係る植物の根の制限システム１０における実施例１−１〜１−５、実施例２−１〜２−５と、比較例１−１〜１−５について試験１をする。
尚、この試験１における制限システム１０としては、まず上述した容器制限システム１０’について言及する。
【００７２】
＜実施例１−１〜１−５＞
実施例１−１〜１−５は、上述したように、本発明に係るシート状物１を貯水槽１１の底１１ａに敷き、当該シート状物１の上に、植物Ｐを植えた容器１２を５つ載置した制限システム１０（容器制限システム１０’）を用意する。
この容器制限システム１０’において、シート状物１上に載置した５つの容器１２それぞれを、実施例１−１〜１−５とする。
尚、これらの実施例１−１〜１−５において、シート状物１は、硫化銅を含有させたアクリル繊維（又はアクリル系繊維）を制限繊維３とし、この制限繊維３で少なくとも一部が構成された不織布（制限布帛）４である。
又、実施例１−１〜１−５において、貯水槽１１はプールであり、容器１２は育苗箱（平面視形状が略矩形状であって、約６０ｃｍ×約３０ｃｍ＝約０．１８ｍ2 ）である。
【００７３】
＜実施例２−１〜２−５＞
実施例１−１〜１−５で用いた制限システム１０（容器制限システム１０’）において、シート状物１を、容器制限システム１０’にて一度使用したシート状物（再利用シート状物）１’に変えたものを用意する。
この容器制限システム１０’において、再利用シート状物１’上に載置した５つの容器１２それぞれを、実施例２−１〜２−５とする。
尚、これらの実施例２−１〜２−５における再利用シート状物１’は、一度使用した以外は、シート状物１と同様で、硫化銅を含有させたアクリル繊維（又はアクリル系繊維）を制限繊維３とし、この制限繊維３で少なくとも一部が構成された不織布（制限布帛）４である。
【００７４】
＜比較例１−１〜１−５＞
実施例１−１〜１−５で用いた制限システム１０（容器制限システム１０’）において、シート状物１や再利用シート状物１’を用いないものを用意する。
従って、このシステムにおいては、貯水槽１１の底１１ａ上に直接載置した５つの容器１２それぞれを、比較例１−１〜１−５とする。
【００７５】
＜試験１の概要＞
上述した実施例１−１〜１−５、実施例２−１〜２−５と、比較例１−１〜１−５の各容器に対し、まずは、２０１５年５月２８日にイネの種（種籾）を播種した。
尚、この種籾は、事前に消毒していても良く、又、発芽（催芽）した種籾を播種しても良く、育苗後の苗は、育苗ポットへ定植した（苗床で育てた苗を田や畑に本式に移し植えた）。
【００７６】
次に、実施例１−１〜１−５、実施例２−１〜２−５と、比較例１−１〜１−５において、播種されたイネの植物丈（草丈）Ｔと葉齢Ｙを一定期間ごとに調べた。
播種から１週間後の２０１５年６月４日における各実施例、各比較例の植物丈（草丈）Ｔと葉齢Ｙを表１に、播種から２週間後の２０１５年６月１１日における各実施例、各比較例の植物丈（草丈）Ｔと葉齢Ｙを表２に、播種から３週間後の２０１５年６月１８日における各実施例、各比較例の植物丈（草丈）Ｔと葉齢Ｙを表３に示す。
【００７７】
ここで、試験１において、「葉齢Ｙ」とは、イネ等の植物Ｐの生育ステージを主稈（親茎）の葉の枚数で表現したものであり、その数え方は、初生葉や鞘葉を除く最初の葉を第１葉とし、この第１葉がついた時を葉齢「１」枚、その次の葉（第２葉）がついた時を葉齢「２」枚、以下同様に、第３葉がついた時を葉齢「３」枚・・・と数える。
尚、葉齢Ｙの数え方は、初生葉や鞘葉なども含め最初の葉を第１葉とし、この第１葉がついた時を葉齢「１」枚、第２葉がついた時を葉齢「２」枚、以下同様に、第３葉がついた時を葉齢「３」枚・・・と数えても良い。
【００７８】
【表１】
0006760590.tif 000002
【００７９】
【表２】
0006760590.tif 000003
【００８０】
【表３】
0006760590.tif 000004
【００８１】
＜試験１の評価＞
表１〜３で示されたように、播種から１週間後、２週間後、３週間後の何れの時期においても、実施例１−１〜１−５のシート状物１や、実施例２−１〜２−５の再利用シート状物１’を使用した制限システム１０（容器制限システム１０’）は、シート状物１（１’）を使用していない比較例１−１〜１−５と遜色ない植物丈Ｔや葉齢Ｙとなっている。
以下に詳解する。
【００８２】
＜表１の評価＞
表１においては、シート状物１によって根Ｎを制限されているはずの実施例１−１〜１−５の一部は、シート状物１（１’）がなく根Ｎが伸び放題である比較例１−１〜１−５の一部よりも、植物丈Ｔや葉齢Ｙが大きくなっており、例えば、実施例１−１、１−４、１−５の植物丈Ｔは、比較例１−３の植物丈Ｔよりも大きく、実施例１−１、１−２、１−４、１−５の葉齢Ｙは、比較例１−４、１−５の葉齢Ｙより大きいか又は同じ値となっている。
表１には、一度使用した再利用シート状物１’によって根Ｎを制限されているはずの実施例２−１〜２−５の一部も、シート状物１（１’）がなく根Ｎが伸び放題である比較例１−１〜１−５の一部よりも、植物丈Ｔや葉齢Ｙが大きくなっていることが示されており、例えば、実施例２−１、２−２、２−５の植物丈Ｔは、比較例１−１〜１−３の植物丈Ｔよりも大きく、実施例２−１、２−５の葉齢Ｙは、比較例１−３〜１−５の葉齢Ｙより大きいか又は同じ値となっていることも示されている。
【００８３】
よって、播種から１週間後において、実施例のように、シート状物１（１’）で植物Ｐの根Ｎは制限しても、シート状物１（１’）がなく根Ｎが従来通り伸びるものと、植物丈Ｔや葉齢Ｙなどの発育（育苗）について、影響がほとんどないと言える。
これに加えて、比較例１−１〜１−５は、根切りの手間がかかると共に、成長に必要な根Ｎの先端部を切ることとなるため、定植した後は、イネの生育がかえって悪くなる。
【００８４】
尚、実施例１−１〜１−５と、実施例２−１〜２−５を比較しても、その効果に違いは殆どなく、具体的には、実施例１−１〜１−５における植物丈Ｔの平均値９．２２ｃｍ及び葉齢Ｙの平均値１．４２枚は、実施例２−１〜２−５における植物丈Ｔの平均値９．３２ｃｍ及び葉齢Ｙの平均値１．３４枚と、植物丈Ｔの差が「０．１０ｃｍ」で葉齢Ｙの差が「０．０８枚」であることから、ほぼ差がない。
逆に、再利用シート状物１’を用いた実施例２−１〜２−５の植物丈Ｔの平均値の方が、実施例２−１〜２−５の植物丈Ｔの平均値よりも、かえって大きくなる（良くなる）こともあり、少なくとも一度使用した再利用シート状物１’であるからと言って、効果が下がるとは言えない。
【００８５】
＜表２の評価＞
同様に、表２においても、実施例１−１〜１−５の一部は、比較例１−１〜１−５の一部よりも、植物丈Ｔや葉齢Ｙが大きくなっており、例えば、実施例１−１、１−２の植物丈Ｔは、比較例１−３〜１−５の植物丈Ｔよりも大きく、実施例１−１、１−２、１−４、１−５の葉齢Ｙは、比較例１−３〜１−５の葉齢Ｙより大きくなっている。
表２には、実施例２−１〜２−５の一部も、比較例１−１〜１−５の一部よりも、植物丈Ｔや葉齢Ｙが大きくなっていることが示されており、例えば、全ての実施例２−１〜２−５の植物丈Ｔは、比較例１−３〜１−５の植物丈Ｔよりも大きく、全ての実施例２−１〜２−５の葉齢Ｙは、比較例１−３〜１−５の葉齢Ｙより大きいか又は同じ値となっていることも示されている。
【００８６】
よって、播種から２週間後においても、実施例のように、シート状物１（１’）で植物Ｐの根Ｎは制限しても、シート状物１（１’）がなく根Ｎが従来通り伸びるものと、植物丈Ｔや葉齢Ｙなどの発育（育苗）について、影響がほとんどないと言え、比較例１−１〜１−５は、根切りの手間や、根Ｎの先端部の切断による定植後の生育不良を招く。
尚、播種から２週間後においても、実施例１−１〜１−５と、実施例２−１〜２−５の効果に違いは殆どなく、具体的には、実施例１−１〜１−５における植物丈Ｔの平均値１１．７０ｃｍ及び葉齢Ｙの平均値２．１２枚は、実施例２−１〜２−５における植物丈Ｔの平均値１３．３２ｃｍ及び葉齢Ｙの平均値２．１４枚と、植物丈Ｔの差が「１．６２ｃｍ」で葉齢Ｙの差が「０．０２枚」であることから大差はなく、逆に、播種から２週間後でも  実施例２−１〜２−５の植物丈Ｔの平均値の方が、実施例２−１〜２−５の植物丈Ｔの平均値よりも大きくなっており、表２からも、少なくとも一度使用した再利用シート状物１’であるからと言って、効果が下がるとは言えない。
【００８７】
＜表３の評価＞
同様に、表３においても、実施例１−１〜１−５の一部は、比較例１−１〜１−５の一部よりも、植物丈Ｔや葉齢Ｙが大きくなっており、例えば、実施例１−１、１−２の植物丈Ｔは、比較例１−５の植物丈Ｔよりも大きく、実施例１−１、１−２、１−４の葉齢Ｙは、比較例１−２〜１−４の葉齢Ｙより大きいか又は同じ値となっている。
表３には、実施例２−１〜２−５の一部も、比較例１−１〜１−５の一部よりも、植物丈Ｔや葉齢Ｙが大きくなっていることが示されており、例えば、全ての実施例２−１、２−３、２−５の植物丈Ｔは、比較例１−４、１−５の植物丈Ｔよりも大きく、全ての実施例２−１〜２−５の葉齢Ｙは、全ての比較例１−１〜１−５の葉齢Ｙより大きいか又は同じ値となっていることも示されている。
【００８８】
よって、播種から３週間後においても、実施例の如くシート状物１（１’）で植物Ｐの根Ｎは制限しても、シート状物１（１’）がなく根Ｎが従来通り伸びるものと、植物丈Ｔや葉齢Ｙなどの発育（育苗）について、影響がほとんどないと言え、比較例１−１〜１−５は、根切りの手間や、根Ｎの先端部の切断による定植後の生育不良を招く。
尚、播種から３週間後においても、実施例１−１〜１−５と、実施例２−１〜２−５の効果に違いは殆どなく、具体的には、実施例１−１〜１−５における植物丈Ｔの平均値１５．６４ｃｍ及び葉齢Ｙの平均値３．３８枚は、実施例２−１〜２−５における植物丈Ｔの平均値１５．７２ｃｍ及び葉齢Ｙの平均値３．３２枚と、植物丈Ｔの差が「０．０８ｃｍ」で葉齢Ｙの差が「０．０６枚」であることからほぼ差はなく、逆に、播種から３週間後でも  実施例２−１〜２−５の植物丈Ｔの平均値の方が、実施例２−１〜２−５の植物丈Ｔの平均値よりも大きくなっており、表３からも、少なくとも一度使用した再利用シート状物１’であるからと言って、効果が下がるとは言えない。
【００８９】
よって、試験１の結果、表１〜３に示すように、根Ｎを制限しているにも関わらず、シート状物１を使用していない場合と略同様の植物丈Ｔ及び葉齢Ｙとなることから、植物Ｐの根Ｎを痛めたり、発育不良を招くことはない。
又、シート状物１を植物Ｐに２回使用して場合でも、１回目使用における植物丈Ｔと２回目使用における植物丈Ｔの差を０．００ｃｍ以上５．００ｃｍ以下にする、及び／又は、１回目使用における葉齢Ｙと２回目使用における葉齢Ｙの差を０．００枚以上４．００枚以下とすることで、植物の根の制限システム１０において、３回目以降も繰り返し使用してもその効果が落ちることが抑制され、長寿命化や経済性の向上が図れる。
【００９０】
尚、１回目使用における植物丈Ｔと２回目使用における植物丈Ｔの差は、好ましくは０．０２ｃｍ以上４．００ｃｍ以下、更に好ましくは０．０４ｃｍ以上３．００ｃｍ以下としても良く、１回目使用における葉齢Ｙと２回目使用における葉齢Ｙの差は、好ましくは０．０１枚以上３．００枚以下、更に好ましくは０．０２枚以上２．５０枚以下としても良い。
又、本発明にかかるシート状物１は、苗等の植物Ｐの根Ｎにおける制限で効果があれば、苗以外の植物Ｐにも効果があるとも言え、更には、同じ生き物として、植物Ｐ以外の動物Ｂにも作用するとも言える。
【００９１】
＜試験２＞
次に、本発明に係る植物の根の制限システム１０における実施例３−１、３−２と、比較例２について試験２をする。
尚、この試験２においても、制限システム１０としては、まず上述した容器制限システム１０’について言及する。
【００９２】
＜実施例３−１＞
実施例３−１でも、上述した実施１−１〜１−５と同様に、本発明に係るシート状物１を貯水槽１１の底１１ａに敷き、当該シート状物１の上に、植物Ｐを植えた容器１２を載置した制限システム１０（容器制限システム１０’）を用意する。
尚、この実施例３−１においても、シート状物１は、硫化銅を含有させたアクリル繊維（又はアクリル系繊維）を制限繊維３とし、この制限繊維３で少なくとも一部が構成された不織布（制限布帛）４である。
【００９３】
＜実施例３−２＞
実施例３−１で用いた制限システム１０（容器制限システム１０’）において、シート状物１を、容器制限システム１０’にて一度使用したシート状物（再利用シート状物）１’に変えたものを用意する。
この容器制限システム１０’において、再利用シート状物１’上に載置した容器１２を、実施例３−２とする。
尚、この実施例３−２においても、再利用シート状物１’は、一度使用した以外は、シート状物１と同様で、硫化銅を含有させたアクリル繊維（又はアクリル系繊維）を制限繊維３とし、この制限繊維３で少なくとも一部が構成された不織布（制限布帛）４である。
【００９４】
＜比較例２＞
実施例３−１で用いた制限システム１０（容器制限システム１０’）において、シート状物１や再利用シート状物１’を用いないものを用意する。
従って、このシステムにおいては、貯水槽１１の底１１ａ上に直接載置した容器１２を、比較例２とする。
【００９５】
＜試験２の概要＞
上述した実施例３−１、３−２と、比較例２の各容器に対し、まずイネの種（種籾）を播種した。
尚、この種籾は、事前に消毒していても良く、又、発芽（催芽）した種籾を播種しても良く、育苗後の苗は、育苗ポットへ定植した（苗床で育てた苗を田や畑に本式に移し植えた）。
【００９６】
次に、実施例３−１、３−２と、比較例２において、播種されたイネにおける根Ｎの伸長程度を一定期間ごとに観察し、播種されたイネにおける植物丈（草丈）Ｔと葉齢Ｙも一定期間ごとに調べた。
詳解すれば、播種から１週間後（播種後７日）の各実施例、比較例における根Ｎの伸長程度を図４に示し、播種から２週間後（播種後１４日）の各実施例、比較例における根Ｎの伸長程度を図５に示し、播種から３週間後（播種後２１日）の各実施例、比較例における根Ｎの伸長程度を図６に示し、同じく、播種から３週間後（播種後２１日）の各実施例、比較例における根Ｎ以外の部分（地上部）の様子を図７に示す。
又、播種から１週間後（播種後７日）の各実施例、比較例における植物丈（草丈）Ｔと葉齢Ｙと、播種から２週間後（播種後１４日）の各実施例、比較例における植物丈（草丈）Ｔと葉齢Ｙと、播種から３週間後（播種後２１日）の各実施例、比較例における植物丈（草丈）Ｔと葉齢Ｙを図８に示す。
【００９７】
ここで、試験２においても、「葉齢Ｙ」とは、イネ等の植物Ｐの生育ステージを主稈（親茎）の葉の枚数で表現したものであり、その数え方は、初生葉や鞘葉を除く最初の葉を第１葉とし、この第１葉がついた時を葉齢「１」枚、その次の葉（第２葉）がついた時を葉齢「２」枚、以下同様に、第３葉がついた時を葉齢「３」枚・・・と数える。
尚、葉齢Ｙの数え方は、初生葉や鞘葉なども含め最初の葉を第１葉とし、この第１葉がついた時を葉齢「１」枚、第２葉がついた時を葉齢「２」枚、以下同様に、第３葉がついた時を葉齢「３」枚・・・と数えても良い点も、試験１と同様である。
【００９８】
＜試験２の評価＞
図４〜６で示されたように、播種から１週間後、２週間後、３週間後の何れの時期においても、実施例３−１のシート状物１や、実施例３−２の再利用シート状物１’を使用した制限システム１０（容器制限システム１０’）は、シート状物１（１’）を使用していない比較例２より、根Ｎの伸長程度が抑制されている。
又、図７、８で示されたように、播種から１週間後、２週間後、３週間後の何れの時期においても、実施例３−１のシート状物１や、実施例３−２の再利用シート状物１’を使用した制限システム１０（容器制限システム１０’）は、シート状物１（１’）を使用していない比較例２と遜色ない植物丈Ｔや葉齢Ｙとなっている。
【００９９】
換言すれば、試験２では、実施例３−１、３−２及び比較例２を試験して、各々の播種後７、１４及び２１日後の根Ｎの伸長程度を観察し、植物丈（草丈）Ｔ及び葉齢Ｙを測定した結果、実施例３−１、３−２は、比較例２に比べて、根Ｎの伸長が抑えられ、細根の発生も少ないと同時に、根Ｎ以外の部分（地上部）の成長については、植物丈（草丈）Ｔ、葉齢Ｙともに比較例２と差異はなかった（図８参照）。
従って、実施例３−１、３−２は、植物Ｐの根Ｎ（根域）を制限すると共に、根Ｎ以外の部分（地上部）の生長には影響を及ぼさないで、育苗箱（苗箱）等の容器１２からのイネの脱着を容易にすることが認められ、当該シート状物１の再利用も可能であることが分かる。
【０１００】
＜その他＞
尚、本発明は、前述した実施形態に限定されるものではない。シート状物１、植物の根の制限システム１０等の各構成又は全体の構造、形状、寸法などは、本発明の趣旨に沿って適宜変更することが出来る。
植物の根の制限システム１０（容器制限システム１０’）は、上述したように、シート状物１が貯水槽１１の底１１ａに敷かれ、当該シート状物１の上には、植物Ｐを植えた容器１２が載置されていても良いが、その他、シート状物１を、育苗箱、育苗トレー、育苗ポット等の容器１２の底１２ａに敷いたものであっても構わない。
【産業上の利用可能性】
【０１０１】
本発明のシート状物は、苗など植物の根を制限するだけでなく、ネットとして漁網に用いることで、この漁網に衝突して魚介類が弱ることを抑制したり、テープ状等にして、ナメクジ等の軟体動物の行動を制限させるために用いるなど、様々な動植物の少なくとも一部を制限する何れにも利用可能である。
【符号の説明】
【０１０２】
１        シート状物
２        制限物質
３        制限繊維
４        制限布帛
１０      植物の根の制限システム
１１      貯水槽
１１ａ    貯水槽の底
１２      植物を植えた容器（植物容器）
ＢＰ      動植物
Ｐ        植物
Ｎ        植物の根
Ｔ        植物丈（草丈）
Ｙ        葉齢
【図１】
0006760590.tif 000005
【図２】
0006760590.tif 000006
【図３】
0006760590.tif 000007
【図４】
0006760590.tif 000008
【図５】
0006760590.tif 000009
【図６】
0006760590.tif 000010
【図７】
0006760590.tif 000011
【図８】
0006760590.tif 000012